(57)【要約】【課題】冷凍空調機から回収する冷媒の回収率向上と、回収時間短縮とを両立させる。【解決手段】冷媒回収システム３０は、空調機１０の低圧サービスポート２４に接続された引出管３２を備える。引出管３２には、冷媒ガスを圧縮する圧縮機３４が設けられている。引出管３２の下流には、送出先を切り替える三方弁３６が設けられている。三方弁３６の一方の送出先は、冷媒回収ボンベ７０に接続された回収管３７である。回収管３７には、冷媒ガスを凝縮する凝縮器３８が設けられている。三方弁３６の他方の送出先は、高圧サービスポート２６に接続された還流管４０である。三方弁３６が、回収管３７を創出先としている場合において、冷媒ガスの回収効率が低下したときには、三方弁３６を切り替えて、冷媒ガスを還流管４０に送出する制御が行われる。【選択図】図２
2020186841.tif 000002
【特許請求の範囲】
【請求項１】
冷凍空調機の冷媒循環路の低圧サービスポートに接続されて冷媒ガスを引き出す引出路と、
前記引出路に設けられ、引き出された前記冷媒ガスを圧縮して下流に送る圧縮機と、
前記引出路における前記圧縮機の下流に設けられ、前記冷媒ガスの送出先を切り替える切替弁と、
前記切替弁の前記送出先として設けられ、冷媒回収ボンベに接続された回収路と、
前記回収路に設けられ、前記冷媒ガスを液化する凝縮器と、
前記切替弁の別の前記送出先として設けられ、前記冷媒循環路の高圧サービスポートに接続される還流路と、
前記切替弁により前記冷媒ガスが前記回収路に送出される場合において、前記冷媒ガスの前記冷媒回収ボンベへの回収効率が低下したときに、前記切替弁を切り替えて前記冷媒ガスを前記還流路に送出する制御を行う制御部と、
を備える、ことを特徴とする冷媒回収システム。
【請求項２】
請求項１に記載の冷媒回収システムにおいて、
前記制御部は、前記冷媒ガスの温度、圧力、流速、回収量の少なくとも一つに基づいて、前記回収効率の低下を判定する、ことを特徴とする冷媒回収システム。
【請求項３】
請求項１に記載の冷媒回収システムにおいて
前記制御部は、前記切替弁により前記冷媒ガスが前記還流路に送出される場合において、前記冷媒ガスの回収効率が上昇する条件を満たした場合に、前記切替弁を切り替えて前記冷媒ガスを前記回収路に送出する制御を行う、ことを特徴とする冷媒回収システム。
【請求項４】
請求項３に記載の冷媒回収システムにおいて、
前記制御部は、前記冷媒ガスの温度、圧力、流速の少なくとも一つに基づいて、前記回収効率が上昇する条件を判定する、ことを特徴とする冷媒回収システム。
【請求項５】
冷凍空調機の冷媒循環路の低圧サービスポートに接続されて冷媒ガスを引き出す引出路と、
前記引出路に設けられ、引き出された前記冷媒ガスを圧縮して下流に送る圧縮機と、
前記引出路における前記圧縮機の下流に設けられ、前記冷媒ガスの送出先を切り替える切替弁と、
前記切替弁の前記送出先として設けられ、冷媒回収ボンベに接続された回収路と、
前記回収路に設けられ、前記冷媒ガスを液化する凝縮器と、
前記切替弁の別の前記送出先として設けられ、前記冷媒循環路の高圧サービスポートに接続される還流路と、
を備えた冷媒回収システムを制御する方法であって、
前記切替弁により前記冷媒ガスが前記回収路に送出される場合において、前記冷媒ガスの前記冷媒回収ボンベへの回収効率が低下したときに、前記切替弁を切り替えて前記冷媒ガスを前記還流路に送出させる手順と、
前記切替弁により前記冷媒ガスが前記還流路に送出される場合において、前記冷媒ガスの前記冷媒回収ボンベへの回収効率が上昇する条件を満たしたときに、前記切替弁を切り替えて前記冷媒ガスを前記回収路に送出させる手順と、
を含む、ことを特徴とする冷媒回収システム制御方法。
【発明の詳細な説明】
【技術分野】
【０００１】
本発明は、冷媒回収システム及び冷媒回収システム制御方法に関する。
【背景技術】
【０００２】
冷媒を用いて室内、容器などの空間を冷蔵または冷凍する機器（これを「冷凍空調機」と呼ぶ）では、機器の撤去時などに冷媒の回収が行われる。冷媒の回収は、例えば、気化した状態の冷媒（「冷媒ガス」と呼ぶ）を吸引することにより行われる。冷媒ガスを回収する場合、気化熱によって残った液体の冷媒（「冷媒液」と呼ぶ）が低温化するため、冷媒液の気化が遅れ、冷媒の回収効率が低下する。特に、冬季などの低温下では、冷媒液が冷媒循環路に溜まった状態となり（冷媒が「寝込む」という場合がある）回収が難しくなる。
【０００３】
下記特許文献１には、冷凍空調機から冷媒を回収する冷媒回収装置について記載されている。この冷媒回収装置では、冷凍空調機の冷媒循環路における低圧サービスポートに取り付けた管に圧縮機が接続され、圧縮機の先には三方弁が取り付けられている。三方弁の一方は冷媒回収ボンベに接続され、もう一方は冷凍空調機の冷媒循環路における高圧サービスポートに取り付けられている。冷媒回収装置では、まず、三方弁を高圧サービスポートの側に向けて開いて圧縮機の運転を行う。そして、冷凍空調機の冷媒循環路の温度所定の温度に達した時点で、三方弁を切り替えることで、冷媒回収ボンベに冷媒が回収される。これにより、冷媒の回収率が高められることが記載されている。
【先行技術文献】
【特許文献】
【０００４】
【特許文献１】特開２００５−３５１５３２号公報
【発明の概要】
【発明が解決しようとする課題】
【０００５】
上記特許文献１の冷媒回収装置では、冷媒循環路の温度を高めた後に、三方弁を一度だけ切り替えて、冷媒を回収しているに過ぎず、それにより冷媒が回収できない状況は想定していない。しかし、冬季などの低温状態では、冷媒循環路の温度は低く、十分な量の冷媒を回収できない状況が考えられる。特に、法令で回収が義務付けられたフロン類が冷媒として用いられている場合には、法令で定められた量の冷媒を回収し、冷媒の漏洩を防止または抑制する必要がある。
【０００６】
本発明の目的は、冷凍空調機から回収する冷媒の回収率向上と回収時間短縮とを両立させることが可能な冷媒回収システムを実現することにある。
【課題を解決するための手段】
【０００７】
本発明にかかる冷媒回収システムは、冷凍空調機の冷媒循環路の低圧サービスポートに接続されて冷媒ガスを引き出す引出路と、前記引出路に設けられ、引き出された前記冷媒ガスを圧縮して下流に送る圧縮機と、前記引出路における前記圧縮機の下流に設けられ、前記冷媒ガスの送出先を切り替える切替弁と、前記切替弁の前記送出先として設けられ、冷媒回収ボンベに接続された回収路と、前記回収路に設けられ、前記冷媒ガスを液化する凝縮器と、前記切替弁の別の前記送出先として設けられ、前記冷媒循環路の高圧サービスポートに接続される還流路と、前記切替弁により前記冷媒ガスが前記回収路に送出される場合において、前記冷媒ガスの前記冷媒回収ボンベへの回収効率が低下したときに、前記切替弁を切り替えて前記冷媒ガスを前記還流路に送出する制御を行う制御部と、を備える、ことを特徴とする。
【０００８】
本発明の一形態においては、前記制御部は、前記冷媒ガスの温度、圧力、流速、回収量の少なくとも一つに基づいて、前記回収効率の低下を判定する、ことを特徴とする。
【０００９】
本発明の一形態においては、前記制御部は、前記切替弁により前記冷媒ガスが前記還流路に送出される場合において、前記冷媒ガスの回収効率が上昇する条件を満たした場合に、前記切替弁を切り替えて前記冷媒ガスを前記回収路に送出する制御を行う、ことを特徴とする。
【００１０】
本発明の一形態においては、前記制御部は、前記冷媒ガスの温度、圧力、流速の少なくとも一つに基づいて、前記回収効率が上昇する条件を判定する、ことを特徴とする。
【００１１】
本発明にかかる冷媒回収システム制御方法は、冷凍空調機の冷媒循環路の低圧サービスポートに接続されて冷媒ガスを引き出す引出路と、前記引出路に設けられ、引き出された前記冷媒ガスを圧縮して下流に送る圧縮機と、前記引出路における前記圧縮機の下流に設けられ、前記冷媒ガスの送出先を切り替える切替弁と、前記切替弁の前記送出先として設けられ、冷媒回収ボンベに接続された回収路と、前記回収路に設けられ、前記冷媒ガスを液化する凝縮器と、前記切替弁の別の前記送出先として設けられ、前記冷媒循環路の高圧サービスポートに接続される還流路と、を備えた冷媒回収システムを制御する方法であって、前記切替弁により前記冷媒ガスが前記回収路に送出される場合において、前記冷媒ガスの前記冷媒回収ボンベへの回収効率が低下したときに、前記切替弁を切り替えて前記冷媒ガスを前記還流路に送出させる手順と、前記切替弁により前記冷媒ガスが前記還流路に送出される場合において、前記冷媒ガスの前記冷媒回収ボンベへの回収効率が上昇する条件を満たしたときに、前記切替弁を切り替えて前記冷媒ガスを前記回収路に送出させる手順と、を含む、ことを特徴とする。
【発明の効果】
【００１２】
本発明によれば、低温下においても、効率的に、かつ、高い回収率で、冷凍空調機から冷媒を回収することが可能となる。
【図面の簡単な説明】
【００１３】
【図１】実施形態にかかる冷媒回収システム等の構成を示す図である。
【図２】回収モードにおける冷媒の流れを示す図である。
【図３】還流モードにおける冷媒の流れを示す図である。
【図４】冷媒回収過程での温度、圧力、回収量の時間変化を示す模式図である。
【発明を実施するための形態】
【００１４】
以下に、図面を参照しながら、実施形態について説明する。説明においては、理解を容易にするため、具体的な態様について示すが、これらは実施形態を例示するものであり、他にも様々な実施形態をとることが可能である。
【００１５】
図１は、実施形態にかかる空調機１０と、冷媒回収システム３０と、冷媒回収ボンベ７０との概略的な構成を示す図である。
【００１６】
空調機１０は、冷凍空調機の一例であり、建造物などの室内空間を冷却するための装置である。空調機１０には、冷媒を循環させる冷媒循環路１２が設けられている。冷媒としては、フロン類が用いられる他、ノンフロンの物質が用いられることもある。空調機１０に封入されている冷媒の重量は、空調機１０のサイズあるいは冷却性能に応じて異なっており、少量の数ｋｇ程度のものから１００ｋｇを超えるものまで様々である。冷媒循環路１２には、圧縮機１４、凝縮器１６、膨張弁１８、蒸発器２０、アキュムレータ２２がこの順番で配置されている。
【００１７】
圧縮機１４は、アキュムレータ２２から供給される低温低圧の冷媒ガスを圧縮して高温高圧状態の冷媒ガスに変えて、凝縮器１６の側に輸送する電動ポンプである。圧縮機１４は、アキュムレータ２２から凝縮器１６に向けた方向にのみ冷媒ガスを輸送するように構成された一方向性の特性をもつ装置である。圧縮機１４では、電源が停止された状態においても、強制的に凝縮器１６に向かう方向へ冷媒ガスを流し込むことは可能であるが、逆方向への流し込むことは実質的に不可能となっている。
【００１８】
凝縮器１６は、冷媒ガスを冷却して、高圧の冷媒液にする装置である。凝縮器１６には、ファンが取り付けられ、外気と熱交換させることで冷却を行う。膨張弁１８は、冷媒液を減圧する装置である。膨張弁１８を通過した冷媒は、低温低圧の冷媒液となる。蒸発器２０は、冷媒液を気化させる装置である。気化の際には、室内空間の空気から熱が奪われて、冷媒の気化熱として用いられる。これにより、室内空間の冷却が行われる。アキュムレータ２２には、気化した冷媒ガスが流し込まれる。アキュムレータ２２の下部には、冷媒液が溜まっており、冷媒ガスと冷媒液が平衡した状態にある。
【００１９】
通常、アキュムレータ２２、圧縮機１４、凝縮器１６は室外機として構成され、屋外空間に設置される。また、膨張弁１８と蒸発器２０は、室内機として構成され、室内空間に設置される。
【００２０】
冷媒循環路１２では、圧縮機１４の上流側において圧縮機１４とアキュムレータ２２との間に低圧サービスポート２４が設けられている。また、圧縮機１４の上流側において、圧縮機１４と凝縮器１６との間に、高圧サービスポート２６が設けられている。低圧サービスポート２４と高圧サービスポート２６は、冷媒循環路１２に冷媒を注入する注入口、あるいは冷媒循環路１２から冷媒を排出するための排出口である。
【００２１】
冷媒回収システム３０は、空調機１０から冷媒を回収するための装置である。冷媒回収システム３０には、低圧サービスポート２４から冷媒ガスを引き出す引出路である引出管３２が設けられている。引出管３２には、冷媒を導く流路を構成するものであればよく、材質、形状、硬さなどは特に限定されるものではない。引出管３２には、その途上に圧縮機３４が設けられている。圧縮機３４は、空調機１０の圧縮機１４と同様に、電動駆動されるポンプであり、冷媒ガスを圧縮して、下流側に向けて送出する。
【００２２】
引出管３２の下流端には、三方弁３６が設けられている。三方弁３６は、引出管３２から流入する冷媒ガスの送出先を切り替える切替弁であり、例えば、電磁的アクチュエータによって動作する。三方弁３６の一方の送出先は、回収路である回収管３７である。回収管３７には、凝縮器３８が取り付けられており、冷媒ガスを液体化して冷媒回収ボンベ７０に流し込む。三方弁３６の他方の排出先は還流路である還流管４０である。還流管４０の先端は、高圧サービスポート２６に接続されており、冷媒ガスを空調機１０の冷媒循環路１２に戻す。回収管３７と還流管４０も、引出管３２と同様に、その材質、形状、硬さなどは自由に設定可能である。
【００２３】
引出管３２には、圧縮機３４よりも上流に、冷媒ガスの温度を検出する温度センサ４２、圧力を検出する圧力センサ４４、流速を検出する流速センサ４６が取り付けられている。引出管３２は、低圧サービスポート２４と接続されているため、温度センサ４２及び圧力センサ４４が検出する温度及び圧力は、冷媒循環路１２における低圧サービスポート２４付近の冷媒ガスの温度及び圧力とほぼ等しくなる。温度センサ４２、圧力センサ４４、流速センサ４６による検出結果は、制御部５０に入力される。
【００２４】
制御部５０は、冷媒回収システム３０の動作を制御する。制御部５０は、コンピュータ機能を備えたハードウエアとその制御を行うソフトウエア（例えばＰＣ、マイコンなど）によって構築される。制御部５０には、記憶部５２と判定部５４が構築されている。記憶部５２は、制御に必要となる温度、圧力、流速、重量などの制御基準値を記憶している。また、判定部５４は、温度センサ４２から入力された温度、圧力センサ４４から入力された圧力、流速センサ４６から入力された流速、あるいは重量計６０から入力された重量を、記憶部５２が記憶する温度、圧力、流速あるいは重量の制御基準値と比較して、三方弁３６などの制御を行う。制御の詳細については後述する。なお、制御部５０では、回収作業を行うユーザからの入力を受け付けることにより、制御の設定、変更が行われる。図示を省略したが、ユーザからの入力は、例えば、冷媒回収システム３０にタッチパネルディスプレイなどの操作部を設けることで、あるいは、スマートフォンやＰＣなどの外部装置と通信することで、行うことが可能となる。
【００２５】
重量計６０は、冷媒回収システム３０において、冷媒回収ボンベ７０の重量を測定するセンサである。重量計６０によって測定された重量は、制御部５０に入力される。これにより、制御部５０では、どの程度の冷媒が回収されているかをリアルタイムで把握することができる。また、冷媒の回収作業では、この重量計６０の測定結果に基づいて、回収した冷媒の量が記録される。
【００２６】
冷媒回収ボンベ７０は、回収した冷媒を貯蔵するボンベである。冷媒回収ボンベ７０としては、例えば１０Ｌ（リットル）、２０Ｌ、１００Ｌなど様々な容量のものが用いられる。空調機１０に封入された冷媒量が冷媒回収ボンベ７０よりも多い場合には、回収の途中で冷媒回収ボンベ７０が取り替えられる。
【００２７】
続いて、図２〜図４を参照して、冷媒の回収過程について説明する。ここで、図２と図３は、図１において、冷媒の流れを追記した図である。図２は、冷媒を冷媒回収ボンベ７０に貯蔵する場合（これを「回収モード」と呼ぶことにする）での冷媒の流れを示しており、図３は、冷媒を還流させている場合（これを「還流モード」と呼ぶことにする）の流れを示している。
【００２８】
冷媒の回収作業を行う場合、通常、空調機１０は停止した状態にあり、圧縮機１４も動作していない。この状態で、作業者は、空調機１０の室外機に、冷媒回収システム３０を接続する。具体的には、引出管３２を低圧サービスポート２４に接続し、回収管３７を冷媒回収ボンベ７０に接続し、還流管４０を高圧サービスポート２６に接続する。そして冷媒回収ボンベ７０は重量計６０に設置した上で、制御部５０を起動する。回収作業は、制御部５０の下、図２に示す回収モードと、図３に示す還流モードを適宜繰り返すことにより行われる。
【００２９】
図２に示すように、回収モードでは、制御部５０によって、三方弁３６は、引出管３２から流入する冷媒ガスを、回収管３７に流し込むように切り替えられる。この状態では、圧縮機３４が動作した場合、引出管３２を通じて、冷媒循環路１２内の冷媒ガスが吸引される。低圧サービスポート２４は、圧縮機１４とアキュムレータ２２の間に位置しているため、冷媒ガスは、圧縮機１４の側からも、アキュムレータ２２の側からも吸引される。しかし、上述のように、圧縮機１４は一方向性の特性をもつ装置であり、圧縮機１４を超えて、凝縮器１６の側から冷媒ガスが流れ込むことはない。このため、実質的には、冷媒ガスはアキュムレータ２２の側から供給されることになる。特に、アキュムレータ２２には、液体状態の冷媒である冷媒液が大量に溜まっており、この冷媒液が気化して冷媒ガスとなって、冷媒回収システム３０に流れ込むことになる。
【００３０】
引き出された冷媒ガスは、圧縮機３４により高温高圧化されて、三方弁３６に至る。そして、三方弁３６により回収管３７に送られ、凝縮器３８において液化された後に、冷媒回収ボンベ７０に流し込まれる。
【００３１】
アキュムレータ２２では、気化する冷媒ガスに気化熱が与えられるため、残った冷媒液の温度が低下する。これにより、冷媒液からの気化量が低下することになる。特に、冬季などの低温状態下では、冷媒液からの気化がほぼ止まってしまうため、冷媒液の回収が困難になってしまう。そこで、三方弁３６の移行が行われる。
【００３２】
図３に示した還流モードでは、制御部５０によって、三方弁３６は、引出管３２から流入する冷媒ガスを還流管４０に排出するように切り替えられている。このため、一旦、冷媒回収ボンベ７０に流し込まれた冷媒の逆流が防止されている。
【００３３】
還流モードでは、三方弁３６を通過した冷媒ガスは、高圧サービスポート２６から冷媒循環路１２に再度流入している。このとき、上述の通り、冷媒ガスは、圧縮機１４を超えてアキュムレータ２２の側に流れることはできない。このため、冷媒ガスは、凝縮器１６の側に流れ、さらに、膨張弁１８、蒸発器２０を通過してアキュムレータ２２に向かう。アキュムレータ２２では、新たに気化した冷媒ガスが加わって、低圧サービスポート２４から引出管３２に流れ込む。圧縮機３４では、この冷媒ガスを圧縮して、三方弁３６へ送る。
【００３４】
このようにして、還流モードでは、冷媒ガスが、空調機１０と冷媒回収システム３０との間を循環する。冷媒ガスは、圧縮機３４を通過する際に、圧縮されることで、高温高圧化する。すなわち、冷媒ガスは、熱力学的にみれば、圧縮機３４によって仕事をされることで、内部エネルギを高めて高温化するとともに、圧力も上昇する。この温度上昇のため、冷媒循環路１２に残っている冷媒液の気化が促進される。特に、アキュムレータ２２に残る大量の冷媒液に熱が与えられることで、その蒸発が進むことになる。この結果、冷媒ガスの量が増え、冷媒ガスの圧力も上昇する。
【００３５】
この後、再度、回収モードへ移行し、三方弁３６が切り替えられる。この段階では、既に気化している冷媒ガスが回収されるだけでなく、アキュムレータ２２の温度が上昇したことで、新たに気化する冷媒ガスの回収も行われる。必要に応じて、さらに、還流モードへの移行とその後の回収モードへの移行を繰り返すことで、空調機１０内の冷媒が高い収率で、速やかに回収されることになる。
【００３６】
図４（ａ）は、冷媒の回収過程において、温度センサ４２により検出される温度、あるいは、圧力センサ４４により検出される圧力の、時間変化を模式的に示す図である。また、図４（ｂ）は、図４（ａ）と同じ時間軸の下で、冷媒回収ボンベ７０に回収される冷媒の重量を示す図である。
【００３７】
図４では、時刻ｔ０において、回収の準備が整い、回収モードでの処理が開始されたものとしている。図４（ａ）に示すように、時刻ｔ０で温度センサ４２が検出する冷媒ガスの温度はＴ０である。冷媒の大部分は、空調機１０の室外機にあるアキュムレータ２２に貯蔵されているため、この温度Ｔ０は、外気温にほぼ等しくなる。時刻ｔ０での圧力センサ４４が検出する冷媒ガスの圧力はＰ０である。また、図４（ｂ）に示すように、時刻ｔ０で重量計６０による回収された冷媒の重量（すなわち、重量計６０の測定値から空の冷媒回収ボンベ７０の重量を差し引いた重量）は０である。
【００３８】
その後、時刻ｔ１に至るまでは、回収モードによる冷媒の回収が行われている。回収の開始直後は、アキュムレータ２２などに溜まっている冷媒液は温度Ｔ０に近く、気化が速やかに進むため、図４（ｂ）に示すように、冷媒回収量は時間に対してほぼ比例する。また、冷媒液から冷媒ガスへの蒸発の過程で冷媒液から気化熱が奪われるために、冷媒液及び冷媒ガスの温度は時間が経過するにつれ低下する。そして、冷媒液の温度が低下するにつれて気化する冷媒ガスの量も減るため、時間とともに単位時間あたりの回収量は減り、また、冷媒ガスの圧力も低下する。
【００３９】
この結果、時刻ｔ１では回収量はｍ１にまで達しているものの、頭打ちの状態に至っている。また、冷媒ガスの温度と圧力の低下の度合いも小さくなっており、時刻ｔ１では、冷媒ガスの温度はＴ１、圧力はＰ０となっている。
【００４０】
そこで、時刻ｔ１において、還流モードへの移行が行われている。この切り替えは、例えば、制御部５０において、記憶部５２に予め温度の制御基準値Ｔ１を記憶させておくことで実施できる。すなわち、判定部５４では、温度センサ４２から入力される温度が制御基準値Ｔ１と同じかそれ以下になった時点で、還流モードへの切り替えを行うようにすればよい。還流モードへの移行では、三方弁３６の切り替えが行われる。また、必要に応じて、圧縮機３４の出力を増加または低下させることもできる。
【００４１】
図４（ｂ）に示すように、時刻ｔ１で還流モードに移行されたことで、その後の回収量は増えておらず、ｍ１で一定化している。また、冷媒ガスの温度と圧力は時間とともに上昇し、時刻ｔ２には温度がＴ２、圧力がＰ２に達している。冷媒ガスの温度上昇は、冷媒循環路１２のアキュムレータ２２等に残る冷媒液が気化しやすくなることを示す。すなわち、冷媒ガスがある程度の温度上昇（あるいはそれと関連する圧力上昇あるいは流速変化）をした場合、冷媒ガスの回収効率が上昇する条件が満たされると言える。
【００４２】
そこで、制御部５０では、冷媒ガスの回収効率が上昇する条件として、予め記憶部５２に温度の制御基準値Ｔ２が記憶されている。そして、判定部５４では、温度センサ４２から入力される温度がＴ２と同じかそれ以上になった時点で、回収モードへの移行を行っている。回収モードへの移行では、三方弁３６の切り換えが行われ、また、必要に応じて圧縮機３４の出力が変更される。
【００４３】
回収モードへの移行を行った時刻ｔ２以降における冷媒の回収量の変化、冷媒ガスの温度及び圧力の変化は、時刻ｔ０移行と同様の傾向を示す。ただし、ここでは、時刻ｔ０〜ｔ１において大半の冷媒が回収されたことを仮定しており、時刻ｔ２では空調機１０内の冷媒の量が少ない状態にあるため、比較的短い時間で、再度、回収量が頭打ちとなっている。そこで、時刻ｔ３（このときの回収量はｍ３、冷媒ガスの温度はＴ１、圧力はＰ１である）において、再度、還流モードへの移行が行われている。
【００４４】
同様にして、時刻ｔ４で回収モードへの移行、時刻ｔ４で還流モードへの移行、時刻ｔ６で回収モードへの移行が行われている。そして、時刻ｔ７に至った段階で、冷媒の回収量がｍ７となり、目標とした回収量に達している。そこで、作業者は、冷媒回収ボンベ７０の閉栓を行い、冷媒回収システム３０の撤去を行って回収作業を終了している。
【００４５】
以上の説明では、還流モードへの移行及び回収モードへの移行は、制御部５０において、温度センサ４２により検出された温度を制御基準値と比較することで行うものとした。しかし、他の態様によっても、還流モードへの移行及び回収モードへの移行を行うことが可能である。例えば、図４（ａ）に模式的に示したように、圧力が温度と似た時間変化を示すことから、圧力センサ４４により検出された圧力を、予め設定された制御基準値と比較することで、モードの移行を行う態様が挙げられる。また、回収された冷媒の重量の時間変化が所定の制御基準値以下となった場合に、回収モードから還流モードに移行するようにしてもよい。回収される冷媒重量の時間変化は、流速センサ４６が検出する流速と対応した関係にあることから、流速センサ４６の検出結果を所定の制御基準値と比較して還流モードへの移行を行うようにしておよい。また、例えば、還流モードから回収モードへの移行は還流モードへの移行後一定時間経過した後に行うようにすることも可能である。
【００４６】
また、以上の説明においては、制御部５０では、引出管３２における圧縮機３４の上流に設けられた温度センサ４２によって直接測定された冷媒ガスの温度を入力されるものとした。しかし、冷媒ガスの温度は、例えば、引出管３２の外表面の温度を測定することでも近似的に検出可能であるし、冷媒循環路１２内の冷媒ガスから検出してもよい。また、圧縮機３４よりも下流における冷媒ガスの温度を測定して、処理を行うことも可能である。同様に、冷媒ガスの圧力の様々に取得することが可能であり、例えば、冷媒循環路１２内の圧力、あるいは、圧縮機３４よりも下流における冷媒ガスの圧力を取得するようにしてもよい。
【００４７】
実施形態にかかる冷媒回収システム３０は、さらに様々に変形可能である。例えば、引出管３２には、その途中に分岐路が設けられていてもよい。そのような分岐路がある場合でも、適宜分岐路を弁によって冷媒ガスの流れを制御することが可能であれば、上述の回収モードと還流モードとの間の移行を問題なく行うことが可能となる。
【００４８】
図４を用いた説明では、冷媒回収作業は、まず回収モードから始めるものとした。しかし、例えば、外気温が非常に低い場合には、まず、還流モードから始めるようにしてもよい。
【００４９】
なお、冷媒回収システム３０の操作は、制御部５０に代えて、あるいは、制御部５０とともに、作業者が適宜、実施することも可能である。
【符号の説明】
【００５０】
１０  空調機、１２  冷媒循環路、１４  圧縮機、１６  凝縮器、１８  膨張弁、２０  蒸発器、２２  アキュムレータ、２４  低圧サービスポート、２６  高圧サービスポート、３０  冷媒回収システム、３２  引出管、３４  圧縮機、３６  三方弁、３７  回収管、３８  凝縮器、４０  還流管、４２  温度センサ、４４  圧力センサ、４６  流速センサ、５０  制御部、５２  記憶部、５４  判定部、６０  重量計、７０  冷媒回収ボンベ。
【図１】
2020186841.tif 000003
【図２】
2020186841.tif 000004
【図３】
2020186841.tif 000005
【図４】
2020186841.tif 000006